(57)【特許請求の範囲】
【請求項１】
蓋カバーを有した収容部に感光ドラムを着脱交換可能に収容した画像形成装置において、
上記収容部には、その蓋カバーの開閉を検知する開閉検知センサと、感光ドラムの装着の有無を判別する装着検知センサとを設け、その蓋カバーが開から閉状態になったときにのみ、上記感光ドラムの装着の有無を判別する構成とし、
上記感光ドラムは、導電部材によって装置本体部に接触保持されることにより接地されたフレームの軸受に、上記感光ドラムの軸体の両端が載せられ、その軸体にベアリングを介して回転自在に装着されており、
上記装着検知センサは、上記感光ドラムの軸体の一部と、装置本体部との間に常時接触保持される板バネを導電部材となし、その板バネの接触状態から、上記感光ドラムの装着の有無を判別する構成しており、
上記蓋カバーの開閉に連動して動くＬＥＤヘッドを、上記開閉検知センサが検知して、蓋カバーの開閉を検知する構成とした画像形成装置。
【請求項２】
請求項１において、上記感光ドラムは帯電ブラシとともにドラムユニット内に収容されており、このドラムユニットをトナーを収容した現像器ユニットに組み付けて、上記収容部に収容させる構造としている画像形成装置。
【発明の詳細な説明】
【０００１】
【発明の属する技術分野】
この発明は、感光ドラムの装着判別機能を備えた電子写真方式の画像形成装置の改良に関するものである。
【０００２】
【従来の技術】
電子写真方式の画像形成装置においては、感光ドラムは寿命がきたら交換できるように着脱自在となっているが、この感光ドラムは、画像形成中は正しく装着されている必要があり、しかも静電潜像を形成するためには、原理上、その電位をゼロにする必要がある。
【０００３】
そこで、従来の画像形成装置では、このような感光ドラムは、適正に装着されたときには、その電位がゼロになるように導電部材を介在させて、本体の一部に接地されるようになっており、この接地状態を判別するセンサーを設けて、感光ドラムの装着の有無も判断出来るようにしている。そして、このような感光ドラムは、現像動作に入る毎に、センサーの検知信号を取り込んでは、装着の有無を判別するようになっている。
【０００４】
【発明が解決しようとする課題】
しかしながら、このような方法で、感光ドラムの装着状態を判別する場合には、感光ドラムは現像中は勿論のこと、現像の前、後処理においても回転しているため、導電部材が感光ドラムから一瞬離れて、導通が途切れることがあり、そのため画像形成装置はエラー状態になってしまい、動作が中止してしまうなどの問題があった。
【０００５】
本発明は、上記のような問題を解決することを課題とする。
【０００６】
【課題を解決するための手段】
以上のような課題を解決するために提案される本発明に係る画像処理装置は、以下のような要旨を含んでいる。
すなわち、請求項１に記載の画像処理装置は、蓋カバーを有した収容部に感光ドラムを着脱交換可能に収容したもので、収容部には、その蓋カバーの開閉を検知する開閉検知センサと、感光ドラムの装着の有無を判別する装着検知センサとを設け、その蓋カバーが開から閉状態になったときにのみ、感光ドラムの装着の有無を判別する構成とし、感光ドラムは、導電部材によって装置本体部に接触保持されることにより接地されたフレームの軸受に、感光ドラムの軸体の両端が載せられ、その軸体にベアリングを介して回転自在に装着されており、装着検知センサは、感光ドラムの軸体の一部と、装置本体部との間に常時接触保持される板バネを導電部材となし、その板バネの接触状態から、感光ドラムの装着の有無を判別する構成としており、蓋カバーの開閉に連動して動くＬＥＤヘッドを、開閉検知センサが検知して、蓋カバーの開閉を検知する構成としたことを特徴としている。
【０００７】
請求項２に記載の画像処理装置は、請求項１において、感光ドラムは帯電ブラシとともにドラムユニット内に収容されており、このドラムユニットをトナーを収容した現像器ユニットに組み付けて、収容部に収容させる構造としていることを特徴としている。
【０００８】
【発明の実施の形態】
以下、添付図を参照しつつ、本発明の一実施例について説明する。
図１は本発明に係る画像形成装置の要部構成を示すブロック図、図２は本発明に係る画像形成装置の画像形成部の縦断面図を示している。
図１に示す画像形成装置Ａは、画像を読み取るスキャナ１９、信号を符号化／復号化するＣＯＤＥＣ１８、２０、全体の処理を統括するＣＰＵ１１、装置の処理情報等を記憶するＲＯＭ１４、可変制御情報を記憶するＲＡＭ１５、画像データを記憶する画像メモリ１６、操作パネル１７、プリンタ制御回路２１を備えているが、ファクシミリ装置の場合は、さらにモデム１３、ＮＣＵ（網制御装置）１２を有するものである。
【０００９】
この画像形成装置Ａは、画像形成のための感光ドラム１、その感光ドラム１に画像を露光するＬＥＤヘッド５ａ、図２に示す蓋カバー５の開閉を検知する開閉検知センサ２、感光ドラム１の装着の有無を判別する装着検知センサ３を有している。感光ドラムの収容部４は、一端をヒンジ部で枢着され、図２に示すように矢印方向に開閉可能な蓋カバー５でカバーされ、この蓋カバー５を開くことにより、感光ドラム１を取出して交換できる。
【００１０】
この画像形成装置Ａにおいては、感光ドラム１を交換するために蓋カバー５を開閉すると、それに連動して動くＬＥＤヘッド５ａを開閉検知センサ２が検知して、蓋カバー５の開閉を検知する。本発明では、こうして、いったん開かれた蓋カバー５が、感光ドラム１の交換装着後、再び閉められたときにのみ、装着検知センサ３によって、感光ドラム１が軸受に装着されているか、また正常に装着されたかどうかを判別する（請求項１）。
【００１１】
このようにすることによって、感光ドラムの交換や清掃、点検を行ったと考えられるときだけ、その装着を判別するので、その他の動作に入る場合に、感光ドラムと本体部との接地導通が途切れて、処理を中断するような不具合いが未然に防止できる。
また、感光ドラム１は、導電部材によって画像形成装置Ａの本体部に接触保持されることにより接地されたフレーム４ｃの軸受４ｂにその軸体１ａの両端が載せられ、その軸体１ａにベアリング１ｂを介して回転自由に装着されているので、感光ドラム１が回転しても軸体１ａは回転しない。その軸体１ａの端面には、例えば、図１に示したような形状の板バネ３が導電部材として付勢状態で接触保持され、装着検知センサ３を構成している（請求項２）。
【００１２】
このようにすれば、板バネのような簡単な手段で装着検知センサを構成できるので、安価であるとともに、この装着検知センサは回転しない軸体に接触保持され、この軸体と回転ドラムはベアリングを介して導通が保たれるので、感光ドラムの接地も確実であり、安定している。
図３は、本発明の現像器ユニットの一例を示している。本図は、図２における収容部４の、装置の内部両側でドラムユニット７と現像器ユニット８の一体物を収容するためのフレーム４ｃを横から見たところを示している。
【００１３】
この画像形成装置Ａにおいては、帯電ブラシ６（図２参照）と感光ドラム１を収容したドラムユニット７とトナー（不図示）を収容した現像器ユニット８が組み付けられ、収容部４に収容される。図３において、２点鎖線によって示すように、現像器支持ピン８ａが現像器支持ピン受け溝４ａに、感光ドラム１の軸体１ａがドラム軸受４ｂに嵌まり込むことによって、収容されるようになっている。感光ドラム１の交換の場合は、蓋カバー５を開き、ドラムユニット７と現像器ユニット８の一体物を収容部４から取り出してから、感光ドラム１の交換を行い、その後、その一体物を収容部４に収容する。
【００１４】
このような構造によれば、ドラムユニットを収容部から取り出し、作業に便利な場所において、感光ドラムの交換、点検、清掃が出来るので非常に便利である。
【００１５】
【発明の効果】
本発明に係る画像形成装置によれば、以下の効果を奏する。
すなわち、感光ドラムの交換、点検、清掃時などに蓋カバーを開き、その後閉じたとき、つまり、装置がスタンバイ状態のときにだけ、その装着状態が判別されるので、接地導通の一時的な途切れが生じたとしても、その度に、画像処理、その他の処理が中断されることがない。
【００１６】
また、板バネのような簡単な手段で装着検知センサを構成しているので、安価であるとともに、この装着検知センサは回転しない軸体に接触保持され、この軸体と感光ドラムはベアリングを介して導通が保たれるので、感光ドラムの接地導通が確実で、かつ、安定している。
【００１７】
更に、ドラムユニットと現像器ユニットを一体組み付けしたものを収容部から取り外しできるので、感光ドラムの交換、点検、清掃作業が著しく容易になる。
【図面の簡単な説明】
【図１】本発明に係る画像形成装置の要部構成を示すブロック図である。
【図２】本発明に係る画像形成装置の画像形成部の縦断面図を示している。
【図３】本発明に係る画像形成装置のドラムユニットと現像ユニットの本体収容部への収容状態を示す図である。
【符号の説明】
Ａ      画像形成装置
１      感光ドラム
１ａ    軸体
２      開閉検知センサ
３      装着検知センサ
４      収容部
５      蓋カバー
６      帯電ブラシ
７      ドラムユニット
８      現像器ユニット
【図１】
0003557849.tif 000002
【図２】
0003557849.tif 000003
【図３】
0003557849.tif 000004